【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  機密の保持を要する文書を管理する文書管理システムであって、
文書に対する閲覧許可者の指定と該閲覧許可者の正当性を証明する証明書とを含む機密方針を管理する管理装置と、
前記管理装置が管理する機密方針から選択された機密方針を取得し、該取得した機密方針により特定される証明書に基づく暗号化処理を含む文書の機密化処理を実行する機密化装置と
を具備することを特徴とする文書管理システム。
【請求項２】  前記証明書は、
対応する閲覧許可者に固有の公開暗号鍵を含み、
前記機密化装置は、
共通暗号鍵で機密化対象の文書を暗号化するとともに、前記共通暗号鍵を前記公開暗号鍵で暗号化し、該暗号化した共通暗号鍵を該暗号化した文書に添付して前記暗号化処理を実行する
ことを特徴とする請求項１記載の文書管理システム。
【請求項３】  前記機密方針は、
機密化対象の文書に貼り付けるイメージ情報を含み、
前記機密化処理は、
前記機密方針に基づくイメージを機密化対象の文書に貼り付ける処理を含む
ことを特徴とする請求項２記載の文書管理システム。
【請求項４】  前記機密化処理が施された文書を閲覧する閲覧装置をさらに具備し、
前記管理装置は、
前記機密方針に基づいて前記閲覧装置による機密化された文書の閲覧を制御し、
前記閲覧装置は、
前記公開暗号鍵に対応する秘密暗号鍵を有し、かつ、前記管理装置により機密化された文書の閲覧が許可されたことを条件に、該機密化された文書を復号化して表示する
ことを特徴とする請求項２記載の文書管理システム。
【請求項５】  前記管理装置は、
前記閲覧装置に対して所定期間内での機密化された文書の閲覧を許可し、
前記閲覧装置は、
前記所定期間内であることを条件に、前記管理装置から再度の許可を得ることなく該機密化された文書を復号化して表示する
ことを特徴とする請求項４記載の文書管理システム。
【請求項６】  前記機密方針は、
機密化された文書の閲覧期限を含み、
前記管理装置は、
前記閲覧期限に基づいて前記閲覧装置による機密化された文書の閲覧を制御する
ことを特徴とする請求項４記載の文書管理システム。
【請求項７】  前記機密方針は、
機密化された文書の印刷可否情報を含み、
前記管理装置は、
前記印刷か否情報に基づいて前記閲覧装置による機密化された文書の印刷処理を制御する
ことを特徴とする請求項４記載の文書管理システム。
【請求項８】  機密の保持を要する文書に対して機密化処理を施す機密化装置装置であって、
文書に対する閲覧許可者の指定と該閲覧許可者の正当性を証明する証明書とを含む機密方針を管理する管理装置から該機密方針の一覧を取得する一覧取得手段と、
前記一覧取得手段が取得した機密方針の一覧から選択された機密方針を取得する機密方針取得手段と、
前記機密方針取得手段が取得した機密方針により特定される証明書に基づいて、機密化処理対象の文書に暗号化処理を含む機密化処理を施す機密化処理手段と
を具備することを特徴とする機密化装置。
【請求項９】  前記証明書は、
対応する閲覧許可者に固有の公開暗号鍵を含み、
前記機密化処理手段は、
共通暗号鍵で機密化対象の文書を暗号化するとともに、前記共通暗号鍵を前記公開暗号鍵で暗号化し、該暗号化した共通暗号鍵を該暗号化した文書に添付して前記暗号化処理を実行する暗号化処理手段を具備する
ことを特徴とする請求項８記載の機密化装置。
【請求項１０】  前記機密方針は、
機密化対象の文書に貼り付けるイメージ情報を含み、
前記機密化処理手段は、
前記機密方針に基づくイメージを前記機密化処理対象の文書に貼り付けるイメージ貼付手段を具備する
ことを特徴とする請求項８記載の機密化装置。
【請求項１１】  機密化処理が施された文書を管理し、該文書の閲覧が許可された者に対して該文書を表示する閲覧装置であって、
共通暗号鍵により暗号化された暗号化文書と該共通暗号鍵を公開暗号鍵により暗号化した暗号化共通鍵とを含む機密化文書から前記暗号化共通鍵を抽出するとともに、該抽出した暗号化共通鍵を前記公開暗号鍵に対応する秘密暗号鍵で復号化し、該復号化した共通暗号鍵で前記暗号化文書を復号する復号化処理手段を具備することを特徴とする閲覧装置。
【請求項１２】  前記機密化文書に関する情報を管理する管理装置に対して該機密化文書の閲覧の可否を確認する閲覧可否確認手段をさらに具備し、
前記復号化処理手段は、
前記閲覧可否確認手段により閲覧の許可が確認されたことを条件に前記暗号化文書を復号する
ことを特徴とする請求項１１記載の閲覧装置。
【請求項１３】  前記復号化処理手段は、
前記閲覧可否確認手段が所定の有効期間を有する閲覧の許可を確認した場合には、該有効期間内であることを条件に前記暗号化文書を復号する
ことを特徴とする請求項１２記載の閲覧装置。
【請求項１４】  前記管理装置に対して前記機密化文書の印刷の可否を確認する印刷可否確認手段と、
前記印刷可否確認手段により印刷の許可が確認されたことを条件に前記復号化処理手段により復号された文書の印刷処理を実行する印刷処理手段と
をさらに具備することを特徴とする請求項１２記載の閲覧装置。
【請求項１５】  機密の保持を要する文書を管理する文書管理方法であって、
文書に対する閲覧許可者の指定と該閲覧許可者の正当性を証明する証明書とを含む機密方針を管理装置で管理し、
文書の機密化を実行する際に、前記管理装置が管理している機密方針から所望の機密方針を取得し、該取得した機密方針により特定される証明書に基づく暗号化処理を含む文書の機密化処理を実行する
ことを特徴とする文書管理方法。
【請求項１６】  前記機密方針は、機密化された文書の閲覧期限を含み、該閲覧期限に基づいて機密化された文書の閲覧を制御することを特徴とする請求項１５記載の文書管理方法。
【請求項１７】  前記機密方針は、機密化された文書の印刷可否情報を含み、該印刷か否情報に基づいて機密化された文書の印刷処理を制御することを特徴とする請求項１５記載の文書管理方法。
【請求項１８】  機密の保持を要する文書に対して機密化処理を施す機密化方法であって、
文書に対する閲覧許可者の指定と該閲覧許可者の正当性を証明する証明書とを含む機密方針を管理する管理装置から該機密方針の一覧を取得し、該取得した機密方針の一覧から選択された機密方針を取得し、該取得した機密方針により特定される証明書に基づいて、機密化処理対象の文書に暗号化処理を含む機密化処理を施すことを特徴とする機密化方法。
【請求項１９】  前記証明書は、対応する閲覧許可者に固有の公開暗号鍵を含み、
前記暗号化処理は、共通暗号鍵で機密化対象の文書を暗号化するとともに、前記共通暗号鍵を前記公開暗号鍵で暗号化し、該暗号化した共通暗号鍵を該暗号化した文書に添付する処理である
ことを特徴とする請求項１８記載の機密化方法。
【請求項２０】  前記機密方針は、機密化対象の文書に貼り付けるイメージ情報を含み、
前記機密化処理は、前記機密方針に基づくイメージを前記機密化処理対象の文書に貼り付ける処理を含むことを特徴とする請求項１８記載の機密化方法。
【請求項２１】  機密化処理が施された文書を管理し、該文書の閲覧が許可された者に対して該文書を表示する閲覧方法であって、
共通暗号鍵により暗号化された暗号化文書と該共通暗号鍵を公開暗号鍵により暗号化した暗号化共通鍵とを含む機密化文書から前記暗号化共通鍵を抽出するとともに、該抽出した暗号化共通鍵を前記公開暗号鍵に対応する秘密暗号鍵で復号化し、該復号化した共通暗号鍵で前記暗号化文書を復号し、該された文書を表示することを特徴とする閲覧方法。
【請求項２２】  前記機密化文書は、
該機密化文書に関する情報を管理する管理装置に対して該機密化文書の閲覧の可否を確認し、該確認の結果、閲覧が許可されたことを条件に復号されることを特徴とする請求項２１記載の閲覧方法。
【請求項２３】  前記許可が所定の有効期間を有する場合には、該有効期間内であることを条件に前記機密化文書を復号することを特徴とする請求項２２記載の閲覧方法。
【請求項２４】  前記機密化文書は、
前記管理装置に対して該機密化文書の印刷の可否を確認し、該確認の結果、印刷が許可されたことを条件に印刷されることを特徴とする請求項２２記載の閲覧方法。
【請求項２５】  機密の保持を要する文書に対して機密化処理を施す機密化プログラムであって、
文書に対する閲覧許可者の指定と該閲覧許可者の正当性を証明する証明書とを含む機密方針を管理する管理装置から該機密方針の一覧を取得する一覧取得ステップと、
前記一覧取得ステップで取得した機密方針の一覧から選択された機密方針を取得する機密方針取得ステップと、
前記機密方針取得ステップで取得した機密方針により特定される証明書に基づいて、機密化処理対象の文書に暗号化処理を含む機密化処理を施す機密化処理ステップと
をコンピュータに実行させることを特徴とする機密化プログラム。
【請求項２６】  前記証明書は、
対応する閲覧許可者に固有の公開暗号鍵を含み、
前記機密化処理ステップは、
共通暗号鍵で機密化対象の文書を暗号化する文書暗号化ステップと、
前記共通暗号鍵を前記公開暗号鍵で暗号化する鍵暗号化ステップと、
前記鍵暗号化ステップで暗号化された共通暗号鍵を前記文書暗号化ステップで暗号化された文書と合成する合成ステップと
を具備する
ことを特徴とする請求項２５記載の機密化プログラム。
【請求項２７】  前記機密方針は、
機密化対象の文書に貼り付けるイメージ情報を含み、
前記機密化処理ステップは、
前記機密方針に基づくイメージを前記機密化処理対象の文書に貼り付けるイメージ貼付ステップを具備する
ことを特徴とする請求項２５記載の機密化プログラム。
【請求項２８】  機密化処理が施された文書を管理し、該文書の閲覧が許可された者に対して該文書を表示する閲覧プログラムであって、
共通暗号鍵により暗号化された暗号化文書と該共通暗号鍵を公開暗号鍵により暗号化した暗号化共通鍵とを含む機密化文書から前記暗号化共通鍵を抽出すると鍵抽出ステップと、
前記鍵抽出ステップで抽出された暗号化共通鍵を前記公開暗号鍵に対応する秘密暗号鍵で復号化する鍵復号化ステップと、
前記鍵復号化ステップで復号化された共通暗号鍵で前記暗号化文書を復号する文書復号化ステップと
をコンピュータに実行させることを特徴とする閲覧プログラム。
【請求項２９】  前記機密化文書に関する情報を管理する管理装置に対して該機密化文書の閲覧の可否を確認する確認ステップをさらにコンピュータに実行させ、
前記確認ステップにより閲覧の許可が確認されたことを条件に前記鍵抽出ステップと前記鍵復号化ステップと前記文書復号化ステップとを実行する
ことを特徴とする請求項２８記載の閲覧プログラム。
【請求項３０】  前記確認ステップで所定の有効期間を有する閲覧の許可を確認した場合には、該有効期間内であることを条件に前記鍵抽出ステップと前記鍵復号化ステップと前記文書復号化ステップとを実行することを特徴とする請求項２９記載の閲覧プログラム。
【請求項３１】  前記管理装置に対して前記機密化文書の印刷の可否を確認する印刷確認ステップと、
前記印刷確認ステップで印刷の許可が確認されたことを条件に前記文書復号化ステップにより復号された文書の印刷処理を実行する印刷処理ステップと
をさらにコンピュータに実行させることを特徴とする請求項２９記載の閲覧プログラム。
【手続補正２】
【補正対象書類名】明細書
【補正対象項目名】００１２
【補正方法】変更
【補正の内容】
【００１２】
【課題を解決するための手段】
上述した目的を達成するため、請求項１の発明は、機密の保持を要する文書を管理する文書管理システムであって、文書に対する閲覧許可者の指定と該閲覧許可者の正当性を証明する証明書とを含む機密方針を管理する管理装置と、前記管理装置が管理する機密方針から選択された機密方針を取得し、該取得した機密方針により特定される証明書に基づく暗号化処理を含む文書の機密化処理を実行する機密化装置とを具備することを特徴とする。
【手続補正３】
【補正対象書類名】明細書
【補正対象項目名】００１９
【補正方法】変更
【補正の内容】
【００１９】
また、請求項８の発明は、機密の保持を要する文書に対して機密化処理を施す機密化装置装置であって、文書に対する閲覧許可者の指定と該閲覧許可者の正当性を証明する証明書とを含む機密方針を管理する管理装置から該機密方針の一覧を取得する一覧取得手段と、前記一覧取得手段が取得した機密方針の一覧から選択された機密方針を取得する機密方針取得手段と、前記機密方針取得手段が取得した機密方針により特定される証明書に基づいて、機密化処理対象の文書に暗号化処理を含む機密化処理を施す機密化処理手段とを具備することを特徴とする。
【手続補正４】
【補正対象書類名】明細書
【補正対象項目名】００２６
【補正方法】変更
【補正の内容】
【００２６】
また、請求項１５の発明は、機密の保持を要する文書を管理する文書管理方法であって、文書に対する閲覧許可者の指定と該閲覧許可者の正当性を証明する証明書とを含む機密方針を管理装置で管理し、文書の機密化を実行する際に、前記管理装置が管理している機密方針から所望の機密方針を取得し、該取得した機密方針により特定される証明書に基づく暗号化処理を含む文書の機密化処理を実行することを特徴とする。
【手続補正５】
【補正対象書類名】明細書
【補正対象項目名】００２９
【補正方法】変更
【補正の内容】
【００２９】
また、請求項１８の発明は、機密の保持を要する文書に対して機密化処理を施す機密化方法であって、文書に対する閲覧許可者の指定と該閲覧許可者の正当性を証明する証明書とを含む機密方針を管理する管理装置から該機密方針の一覧を取得し、該取得した機密方針の一覧から選択された機密方針を取得し、該取得した機密方針により特定される証明書に基づいて、機密化処理対象の文書に暗号化処理を含む機密化処理を施すことを特徴とする。
【手続補正６】
【補正対象書類名】明細書
【補正対象項目名】００３６
【補正方法】変更
【補正の内容】
【００３６】
また、請求項２５の発明は、機密の保持を要する文書に対して機密化処理を施す機密化プログラムであって、文書に対する閲覧許可者の指定と該閲覧許可者の正当性を証明する証明書とを含む機密方針を管理する管理装置から該機密方針の一覧を取得する一覧取得ステップと、前記一覧取得ステップで取得した機密方針の一覧から選択された機密方針を取得する機密方針取得ステップと、前記機密方針取得ステップで取得した機密方針により特定される証明書に基づいて、機密化処理対象の文書に暗号化処理を含む機密化処理を施す機密化処理ステップとをコンピュータに実行させることを特徴とする。